(57)【特許請求の範囲】
【請求項１】
単一の加工エリア内で、第１ワークおよび第２ワークを含む複数のワークを連続的に加工する方法であって、
前記加工エリア内において前記第２ワークを付加加工する工程と、
付加加工が行なわれた前記第２ワークを待機させた状態で、前記加工エリア内において前記第１ワークを除去加工する工程とを備える、ワークの加工方法。
【請求項２】
前記第２ワークを付加加工する工程は、付加加工が行なわれた前記第１ワークを待機させた状態で、前記第２ワークを付加加工する工程を含む、請求項１に記載のワークの加工方法。
【請求項３】
前記第１ワークを除去加工する工程の後、前記第２ワークを待機させた状態で、前記加工エリア内において第３ワークを付加加工する工程と、付加加工が行なわれた前記第３ワークを待機させた状態で、前記加工エリア内において前記第２ワークを除去加工する工程とをさらに備える、請求項２に記載のワークの加工方法。
【請求項４】
前記第２ワークを付加加工する工程の前、前記加工エリア内において前記第１ワークを付加加工する工程をさらに備え、
前記第１ワークを除去加工する工程の後、前記加工エリア内において前記第２ワークを除去加工する工程をさらに備える、請求項２に記載のワークの加工方法。
【請求項５】
前記加工エリアを形成する加工機械は、ワークを保持可能な第１ワーク保持部および第２ワーク保持部を有し、
前記第２ワークを付加加工する工程時および前記第１ワークを除去加工する工程時、前記第１ワーク保持部および前記第２ワーク保持部により、それぞれ、前記第１ワークおよび前記第２ワークを保持する、請求項２から４のいずれか１項に記載のワークの加工方法。
【請求項６】
前記第１ワーク保持部および前記第２ワーク保持部は、ワークを保持し回転させるための主軸に設けられる、請求項５に記載のワークの加工方法。
【請求項７】
前記加工エリアを形成する加工機械は、前記加工エリア内に設けられ、ワークを保持するワーク保持部と、ワークを把持可能な複数の把持部を含み、前記ワーク保持部に保持されたワークを搬送するワーク搬送部とを有し、
前記第２ワークを付加加工する工程時、前記ワーク保持部により前記第２ワークを保持し、前記把持部により前記第１ワークを把持し、
前記第２ワークを付加加工する工程の後であって、前記第１ワークを除去加工する工程の前に、前記ワーク搬送部によって、前記ワーク保持部に保持された前記第２ワークと、前記把持部に把持された前記第１ワークとを交換する工程をさらに備え、
前記第１ワークを除去加工する工程時、前記ワーク保持部により前記第１ワークを保持し、前記把持部により前記第２ワークを把持する、請求項２から４のいずれか１項に記載のワークの加工方法。
【請求項８】
前記ワーク保持部は、ワークを保持し回転させるための主軸に設けられる、請求項７に記載のワークの加工方法。
【請求項９】
前記加工エリアを形成する加工機械は、前記加工エリア内に設けられ、ワークを保持可能な第１ワーク保持部および第２ワーク保持部と、前記第１ワーク保持部および前記第２ワーク保持部に保持されたワークを搬送するワーク搬送部とを有し、
前記第２ワークを付加加工する工程時、前記第１ワーク保持部により前記第２ワークを保持し、前記第２ワーク保持部により前記第１ワークを保持し、
前記第２ワークを付加加工する工程の後であって、前記第１ワークを除去加工する工程の前に、前記ワーク搬送部によって、前記第１ワーク保持部に保持された前記第２ワークと、前記第２ワーク保持部に保持された前記第１ワークとを交換する工程をさらに備え、
前記第１ワークを除去加工する工程時、前記第１ワーク保持部により前記第１ワークを保持し、前記第２ワーク保持部より前記第２ワークを把持する、請求項２から４のいずれか１項に記載のワークの加工方法。
【請求項１０】
前記第１ワーク保持部は、ワークを保持し回転させるための主軸に設けられ、
前記第２ワーク保持部は、工具を保持するための刃物台に装着される、請求項９に記載のワークの加工方法。
【請求項１１】
前記加工エリアを形成する加工機械は、前記加工エリア内に設けられ、ワークを保持可能な第１ワーク保持部と、工具を保持するための刃物台に装着され、ワークを保持可能な第２ワーク保持部および第３ワーク保持部とを有し、
前記第２ワークを付加加工する工程の前、前記加工エリア内において前記第１ワークを付加加工する工程をさらに備え、
前記第１ワークを除去加工する工程の後、前記加工エリア内において前記第２ワークを除去加工する工程をさらに備え、
前記第１ワークを付加加工する工程時および前記第２ワークを付加加工する工程時、前記第２ワーク保持部により前記第１ワークを保持し、前記第３ワーク保持部により前記第２ワークを保持し、
前記第１ワークを除去加工する工程時、前記第１ワーク保持部により前記第１ワークを保持し、
前記第２ワークを除去加工する工程時、前記第１ワーク保持部により前記第２ワークを保持し、
前記第２ワークを除去加工する工程が完了するまでに、第３ワークおよび第４ワークを、それぞれ、前記第２ワーク保持部および前記第３ワーク保持部により保持する工程をさらに備える、請求項２に記載のワークの加工方法。
【請求項１２】
前記第２ワークを付加加工する工程は、材料粉末を噴出すると同時に、噴出された材料粉末にエネルギ照射することにより材料粉末を溶融して、ワーク成形する工程を含む、請求項１から１１のいずれか１項に記載のワークの加工方法。
【発明の詳細な説明】
【技術分野】
【０００１】
この発明は、一般的には、ワークの加工方法に関し、より特定的には、単一の加工エリア内で、付加加工および除去加工を用いて複数のワークを連続的に加工する方法に関する。
【背景技術】
【０００２】
従来の加工機械に関して、たとえば、特開２００４−３１４１６８号公報には、母材に割れを発生させることなく、迅速かつ正確に肉盛することを目的とした、ポンプ機器類のレーザ肉盛装置が開示されている（特許文献１）。特許文献１に開示されたレーザ肉盛装置は、アルゴンガスをキャリアガスとして金属材料（粉末）を供給する粉末供給機と、供給された金属材料をアルゴンガスと均一に混合し、同時にシールドガスとしてアルゴンおよび窒素の混合ガスを用いる過流式粉末供給ノズルと、過流式粉末供給ノズルを移動させる多軸ロボットとを有する。
【０００３】
また、特開２０１２−２０６１３７号公報には、人手を介さずに容易に肉盛溶接することを目的とした、補修装置が開示されている（特許文献２）。特許文献２に開示された補修装置は、材料供給部と、レーザスポット光を照射するレーザ装置と、多関節のアームを有し、レーザスポット光を３次元方向に移動させる溶接ロボットとを有する。
【先行技術文献】
【特許文献】
【０００４】
【特許文献１】特開２００４−３１４１６８号公報
【特許文献２】特開２０１２−２０６１３７号公報
【発明の概要】
【発明が解決しようとする課題】
【０００５】
材料を付着することによってワークに３次元形状を作成するものとして、付加加工法（Additive manufacturing）がある。他方、材料を除去することによってワークに３次元形状を作成するものとして、除去加工法（Subtractive manufacturing）がある。付加加工では、加工前後でワークの質量が増加し、除去加工では、加工前後でワークの質量が減少する。それぞれの加工法の特性を生かして、付加加工および除去加工を組み合わせ、ワークの最終的な形状を得る加工が行われる。
【０００６】
しかしながら、付加加工および除去加工を順に実施してワークの加工を行なう場合、付加加工の後、ワークを成形する材料を冷却・硬化させる必要があるため、付加加工から除去加工に直ちに移ることができない。これにより、ワークの加工開始から終了までの全体の加工時間が長くなり、ワーク加工の生産性が損なわれる懸念がある。
【０００７】
そこでこの発明の目的は、上記の課題を解決することであり、生産性の向上が図られるワークの加工方法を提供することである。
【課題を解決するための手段】
【０００８】
この発明に従ったワークの加工方法は、単一の加工エリア内で、第１ワークおよび第２ワークを含む複数のワークを連続的に加工する方法である。ワークの加工方法は、加工エリア内において第２ワークを付加加工する工程と、付加加工が行なわれた第２ワークを待機させた状態で、加工エリア内において第１ワークを除去加工する工程とを備える。
【０００９】
このように構成されたワークの加工方法によれば、付加加工が行なわれた第２ワークの待機と、第１ワークの除去加工とが並行して行われるため、複数のワークを連続的に加工する際の生産性を向上させることができる。
【００１０】
また好ましくは、第２ワークを付加加工する工程は、付加加工が行なわれた第１ワークを待機させた状態で、第２ワークを付加加工する工程を含む。
【００１１】
このように構成されたワークの加工方法によれば、ワークの待機と、ワークの付加加工および除去加工とが並行して行われるため、複数のワークを連続的に加工する際の生産性を向上させることができる。
【００１２】
また好ましくは、ワークの加工方法は、第１ワークを除去加工する工程の後、第２ワークを待機させた状態で、加工エリア内において第３ワークを付加加工する工程と、付加加工が行なわれた第３ワークを待機させた状態で、加工エリア内において第２ワークを除去加工する工程とをさらに備える。
【００１３】
このように構成されたワークの加工方法によれば、付加加工および除去加工を用いて第１ワーク、第２ワークおよび第３ワークを連続的に加工する際の生産性を向上させることができる。
【００１４】
また好ましくは、ワークの加工方法は、第２ワークを付加加工する工程の前、加工エリア内において第１ワークを付加加工する工程をさらに備える。ワークの加工方法は、第１ワークを除去加工する工程の後、加工エリア内において第２ワークを除去加工する工程をさらに備える。
【００１５】
このように構成されたワークの加工方法によれば、付加加工および除去加工を用いて第１ワークおよび第２ワークを連続的に加工する際の生産性を向上させることができる。
【００１６】
また好ましくは、加工エリアを形成する加工機械は、ワークを保持可能な第１ワーク保持部および第２ワーク保持部を有する。ワークの加工方法は、第２ワークを付加加工する工程時および第１ワークを除去加工する工程時、第１ワーク保持部および第２ワーク保持部により、それぞれ、第１ワークおよび第２ワークを保持する。
【００１７】
このように構成されたワークの加工方法によれば、第２ワークを付加加工する工程と第１ワークを除去加工する工程との間にワーク搬送を行なう必要がないため、ワーク加工の生産性を向上させることができる。
【００１８】
また好ましくは、第１ワーク保持部および第２ワーク保持部は、ワークを保持し回転させるための主軸に設けられる。
【００１９】
このように構成されたワークの加工方法によれば、第１ワーク保持部および第２ワーク保持部を設ける構成として主軸を用いたワーク加工において、上記効果を奏することができる。
【００２０】
また好ましくは、加工エリアを形成する加工機械は、加工エリア内に設けられ、ワークを保持するワーク保持部と、ワークを把持可能な複数の把持部を含み、ワーク保持部に保持されたワークを搬送するワーク搬送部とを有する。第２ワークを付加加工する工程時、ワーク保持部により第２ワークを保持し、把持部により第１ワークを把持する。ワークの加工方法は、第２ワークを付加加工する工程の後であって、第１ワークを除去加工する工程の前に、ワーク搬送部によって、ワーク保持部に保持された第２ワークと、把持部に把持された第１ワークとを交換する工程をさらに備える。第１ワークを除去加工する工程時、ワーク保持部により第１ワークを保持し、把持部により第２ワークを把持する。
【００２１】
このように構成されたワークの加工方法によれば、第２ワークを付加加工する工程時、第１ワークをワーク搬送部の把持部により把持された状態で待機させ、第１ワークを除去加工する工程時、第２ワークをワーク搬送部の把持部により把持された状態で待機させる。
【００２２】
また好ましくは、ワーク保持部は、ワークを保持し回転させるための主軸に設けられる。
【００２３】
このように構成されたワークの加工方法によれば、ワーク保持部を設ける構成として主軸を用いたワーク加工において、上記効果を奏することができる。
【００２４】
また好ましくは、加工エリアを形成する加工機械は、加工エリア内に設けられ、ワークを保持可能な第１ワーク保持部および第２ワーク保持部と、第１ワーク保持部および第２ワーク保持部に保持されたワークを搬送するワーク搬送部とを有する。第２ワークを付加加工する工程時、第１ワーク保持部により第２ワークを保持し、第２ワーク保持部により第１ワークを保持する。ワークの加工方法は、第２ワークを付加加工する工程の後であって、第１ワークを除去加工する工程の前に、ワーク搬送部によって、第１ワーク保持部に保持された第２ワークと、第２ワーク保持部に保持された第１ワークとを交換する工程をさらに備える。第１ワークを除去加工する工程時、第１ワーク保持部により第１ワークを保持し、第２ワーク保持部より第２ワークを把持する。
【００２５】
このように構成されたワークの加工方法によれば、第２ワークを付加加工する工程時、第１ワークを第２ワーク保持部に保持された状態で待機させ、第１ワークを除去加工する工程時、第２ワークを第２ワーク保持部により保持された状態で待機させる。
【００２６】
また好ましくは、第１ワーク保持部は、ワークを保持し回転させるための主軸に設けられる。第２ワーク保持部は、工具を保持するための刃物台に装着される。
【００２７】
このように構成されたワークの加工方法によれば、第１ワーク保持部を設ける構成として主軸を用い、第２ワーク保持部を装着する構成として刃物台を用いたワーク加工において、上記効果を奏することができる。
【００２８】
また好ましくは、加工エリアを形成する加工機械は、加工エリア内に設けられ、ワークを保持可能な第１ワーク保持部と、工具を保持するための刃物台に装着され、ワークを保持可能な第２ワーク保持部および第３ワーク保持部とを有する。ワークの加工方法は、第２ワークを付加加工する工程の前、加工エリア内において第１ワークを付加加工する工程をさらに備える。ワークの加工方法は、第１ワークを除去加工する工程の後、加工エリア内において第２ワークを除去加工する工程をさらに備える。第１ワークを付加加工する工程時および第２ワークを付加加工する工程時、第２ワーク保持部により第１ワークを保持し、第３ワーク保持部により第２ワークを保持する。第１ワークを除去加工する工程時、第１ワーク保持部により第１ワークを保持する。第２ワークを除去加工する工程時、第１ワーク保持部により第２ワークを保持する。ワークの加工方法は、第２ワークを除去加工する工程が完了するまでに、第３ワークおよび第４ワークを、それぞれ、第２ワーク保持部および第３ワーク保持部により保持する工程をさらに備える。
【００２９】
このように構成されたワークの加工方法によれば、付加加工および除去加工を用いて、第１ワークおよび第２ワークと、第３ワークおよび第４ワークとを連続的に加工する際の生産性を向上させることができる。
【００３０】
また好ましくは、第２ワークを付加加工する工程は、材料粉末を噴出すると同時に、噴出された材料粉末にエネルギ照射することにより材料粉末を溶融して、ワーク成形する工程を含む。
【００３１】
このように構成されたワークの加工方法によれば、付加加工が行なわれた第２ワークの冷却と、第１ワークの除去加工とが並行して行われるため、複数のワークを連続的に加工する際の生産性を向上させることができる。
【発明の効果】
【００３２】
以上に説明したように、この発明に従えば、生産性の向上が図られるワークの加工方法を提供することができる。
【図面の簡単な説明】
【００３３】
【図１】この発明の実施の形態１におけるワークの加工方法に用いられる加工機械を示す正面図である。
【図２】図１中の加工機械において、ストッカ部に格納されたワーク、ワーク把持部および付加加工用ヘッドを示す斜視図である。
【図３】図１中の加工機械が備えるロボットアームを示す斜視図である。
【図４】図１中の加工機械において、付加加工時の加工エリア内の様子を示す斜視図である。
【図５】図４中の２点鎖線Ｖで囲まれた範囲を拡大して示す断面図である。
【図６】付加加工および除去加工に伴って変化するワークの形態を示す図である。
【図７】この発明の実施の形態１におけるワークの加工方法の第１工程を模式的に表す図である。
【図８】この発明の実施の形態１におけるワークの加工方法の第２工程を模式的に表す図である。
【図９】この発明の実施の形態１におけるワークの加工方法の第３工程を模式的に表す図である。
【図１０】この発明の実施の形態１におけるワークの加工方法の第４工程を模式的に表す図である。
【図１１】この発明の実施の形態１におけるワークの加工方法の第５工程を模式的に表す図である。
【図１２】この発明の実施の形態１におけるワークの加工方法の第６工程を模式的に表す図である。
【図１３】この発明の実施の形態１におけるワークの加工方法の第７工程を模式的に表す図である。
【図１４】この発明の実施の形態１におけるワークの加工方法の第８工程を模式的に表す図である。
【図１５】この発明の実施の形態１におけるワークの加工方法の第９工程を模式的に表す図である。
【図１６】この発明の実施の形態１におけるワークの加工方法の工程の流れを示す図である。
【図１７】この発明の実施の形態２におけるワークの加工方法の第１工程を模式的に表す図である。
【図１８】この発明の実施の形態２におけるワークの加工方法の第２工程を模式的に表す図である。
【図１９】この発明の実施の形態２におけるワークの加工方法の第３工程を模式的に表す図である。
【図２０】この発明の実施の形態２におけるワークの加工方法の第４工程を模式的に表す図である。
【図２１】この発明の実施の形態２におけるワークの加工方法の第５工程を模式的に表す図である。
【図２２】この発明の実施の形態２におけるワークの加工方法の第６工程を模式的に表す図である。
【図２３】この発明の実施の形態２におけるワークの加工方法の第７工程を模式的に表す図である。
【図２４】この発明の実施の形態２におけるワークの加工方法の第８工程を模式的に表す図である。
【図２５】この発明の実施の形態３におけるワークの加工方法の第１工程を模式的に表す図である。
【図２６】この発明の実施の形態３におけるワークの加工方法の第２工程を模式的に表す図である。
【図２７】この発明の実施の形態３におけるワークの加工方法の第３工程を模式的に表す図である。
【図２８】この発明の実施の形態３におけるワークの加工方法の第４工程を模式的に表す図である。
【図２９】この発明の実施の形態３におけるワークの加工方法の第５工程を模式的に表す図である。
【図３０】この発明の実施の形態３におけるワークの加工方法の第６工程を模式的に表す図である。
【図３１】この発明の実施の形態３におけるワークの加工方法の第７工程を模式的に表す図である。
【図３２】この発明の実施の形態３におけるワークの加工方法の第８工程を模式的に表す図である。
【図３３】この発明の実施の形態３におけるワークの加工方法の第９工程を模式的に表す図である。
【図３４】この発明の実施の形態３におけるワークの加工方法の第１０工程を模式的に表す図である。
【図３５】この発明の実施の形態４におけるワークの加工方法の第１工程を模式的に表す図である。
【図３６】この発明の実施の形態４におけるワークの加工方法の第２工程を模式的に表す図である。
【図３７】この発明の実施の形態４におけるワークの加工方法の第３工程を模式的に表す図である。
【図３８】この発明の実施の形態４におけるワークの加工方法の第４工程を模式的に表す図である。
【図３９】この発明の実施の形態４におけるワークの加工方法の第５工程を模式的に表す図である。
【図４０】この発明の実施の形態４におけるワークの加工方法の第６工程を模式的に表す図である。
【図４１】この発明の実施の形態４におけるワークの加工方法の第７工程を模式的に表す図である。
【図４２】この発明の実施の形態４におけるワークの加工方法の第８工程を模式的に表す図である。
【図４３】この発明の実施の形態４におけるワークの加工方法の第９工程を模式的に表す図である。
【図４４】この発明の実施の形態５におけるワークの加工方法の第１工程を模式的に表す図である。
【図４５】この発明の実施の形態５におけるワークの加工方法の第２工程を模式的に表す図である。
【図４６】この発明の実施の形態５におけるワークの加工方法の第３工程を模式的に表す図である。
【図４７】この発明の実施の形態５におけるワークの加工方法の第４工程を模式的に表す図である。
【図４８】この発明の実施の形態５におけるワークの加工方法の第５工程を模式的に表す図である。
【発明を実施するための形態】
【００３４】
この発明の実施の形態について、図面を参照して説明する。なお、以下で参照する図面では、同一またはそれに相当する部材には、同じ番号が付されている。
【００３５】
（実施の形態１）
図１は、この発明の実施の形態１におけるワークの加工方法に用いられる加工機械を示す正面図である。図１中には、加工機械の外観をなすカバー体を透視することにより、加工機械の内部が示されている。
【００３６】
図１を参照して、加工機械１００は、ワークの付加加工（ＡＭ（Additive manufacturing）加工）と、ワークの除去加工（ＳＭ（Subtractive manufacturing）加工）とが可能なＡＭ／ＳＭハイブリッド加工機である。加工機械１００は、ＳＭ加工の機能として、固定工具を用いた旋削機能と、回転工具を用いたミーリング機能とを有する。
【００３７】
まず、加工機械１００の全体構造について説明すると、加工機械１００は、ベッド１４１と、第１主軸台１１１と、第２主軸台１１６と、工具主軸１２１と、下刃物台１３１とを有する。
【００３８】
ベッド１４１は、第１主軸台１１１、第２主軸台１１６、工具主軸１２１および下刃物台１３１を支持するためのベース部材であり、工場などの据付け面に設置されている。
【００３９】
第１主軸台１１１および第２主軸台１１６は、水平方向に延びるＺ軸方向において、互いに対向して設けられている。第１主軸台１１１および第２主軸台１１６は、それぞれ、固定工具を用いた旋削加工時にワークを回転させるための主軸１１２および主軸１１７を有する。主軸１１２は、Ｚ軸に平行な中心軸２０１を中心に回転可能に設けられ、主軸１１７は、Ｚ軸に平行な中心軸２０２を中心に回転可能に設けられている。主軸１１２および主軸１１７には、ワークを着脱可能に保持するためのチャック機構が設けられている。
【００４０】
工具主軸（上刃物台）１２１は、回転工具を用いたミーリング加工時に回転工具を回転させる。工具主軸１２１は、鉛直方向に延びるＸ軸に平行な中心軸２０３を中心に回転可能に設けられている。工具主軸１２１には、回転工具を着脱可能に保持するためのクランプ機構が設けられている。
【００４１】
工具主軸１２１は、図示しないコラム等によりベッド１４１上に支持されている。工具主軸１２１は、コラム等に設けられた各種の送り機構や案内機構、サーボモータなどにより、Ｘ軸方向、水平方向に延び、Ｚ軸方向に直交するＹ軸方向、およびＺ軸方向に移動可能に設けられている。工具主軸１２１に装着された回転工具による加工位置は、３次元的に移動する。工具主軸１２１は、さらに、Ｙ軸に平行な中心軸を中心に旋回可能に設けられている。
【００４２】
なお、図１中には示されていないが、第１主軸台１１１の周辺には、工具主軸１２１に装着された工具を自動交換するための自動工具交換装置と、工具主軸１２１に装着する交換用の工具を収容する工具マガジンとが設けられている。
【００４３】
下刃物台１３１は、旋削加工のための複数の固定工具を装着する。下刃物台１３１は、いわゆるタレット形であり、複数の固定工具が放射状に取り付けられ、旋回割り出しを行なう。
【００４４】
より具体的には、下刃物台１３１は、旋回部１３２を有する。旋回部１３２は、Ｚ軸に平行な中心軸２０４を中心に旋回可能に設けられている。中心軸２０４を中心にその周方向に間隔を隔てた位置（本実施の形態では、１０箇所）には、固定工具を保持するための工具ホルダが取り付けられている。旋回部１３２が中心軸２０４を中心に旋回することによって、工具ホルダに保持された固定工具が周方向に移動し、旋削加工に用いられる固定工具が割り出される。
【００４５】
下刃物台１３１は、図示しないサドル等によりベッド１４１上に支持されている。下刃物台１３１は、サドル等に設けられた各種の送り機構や案内機構、サーボモータなどにより、Ｘ軸方向およびＺ軸方向に移動可能に設けられている。
【００４６】
加工機械１００は、側面カバー１４２をさらに有する。側面カバー１４２は、第２主軸台１１６に対して第１主軸台１１１の反対側に設けられている。側面カバー１４２により、加工エリア２００と外部エリア２０５との間が隔てられている。加工エリア２００には、第１主軸台１１１、第２主軸台１１６、工具主軸１２１および下刃物台１３１が配置されている。側面カバー１４２には、開閉可能なシャッタ１４３が設けられている。
【００４７】
図２は、図１中の加工機械において、ストッカ部に格納されたワーク、ワーク把持部および付加加工用ヘッドを示す斜視図である。図１および図２を参照して、加工機械１００は、ストッカ部１５６と、ワーク把持部５１と、付加加工用ヘッド６１とをさらに有する。
【００４８】
ストッカ部１５６は、外部エリア２０５に配置されている。ストッカ部１５６は、ワーク４１、ワーク把持部５１および付加加工用ヘッド６１を格納可能なテーブルとして設けられている。なお、ストッカ部１５６は、ワーク４１、ワーク把持部５１および付加加工用ヘッド６１を格納可能なものであれば特に限定されず、たとえば、車輪を備えたワゴンや、棚であってもよい。
【００４９】
ワーク把持部５１は、加工エリア２００および外部エリア２０５の間におけるワークの搬送時にワークを把持する。図２中に示されるワーク把持部５１は、同時に１つのワークを把持可能なシングルアームタイプである。付加加工用ヘッド６１は、ワークに対して材料粉末の吐出とともにレーザ光を照射することにより付加加工を行なう（指向性エネルギ堆積法（Directed Energy Deposition））。
【００５０】
加工機械１００は、付加加工用ヘッド６１およびワーク把持部５１が装着可能なロボットアーム３１をさらに有する。本実施の形態では、付加加工用ヘッド６１およびワーク把持部５１が、ロボットアーム３１に着脱可能に設けられている。
【００５１】
ワーク把持部５１の構造について具体的に説明すると、ワーク把持部５１は、一対の把持用爪部５２と、ベース部５３と、連結部５４とを有する。
【００５２】
連結部５４は、ワーク把持部５１と、後述するロボットアーム３１の連結部３６との接点をなす連結機構として設けられている。連結部５４は、ベース部５３に設けられている。ワーク把持部５１は、連結部５４によってロボットアーム３１に着脱可能に設けられている。
【００５３】
ベース部５３には、一対の把持用爪部５２が設けられている。一対の把持用爪部５２は、ベース部５３に対して連結部５４の反対側に設けられている。一対の把持用爪部５２は、互いに対向して設けられ、互いが近接する方向に移動することによってワーク４１を把持する。ベース部５３は、一対の把持用爪部５２を、これらの近接方向および離間方向にスライド可能なように支持している。
【００５４】
付加加工用ヘッド６１の構造について具体的に説明すると、付加加工用ヘッド６１は、本体部６２と、レーザ光出射部６５と、連結部６３と、接続部６４とを有する。
【００５５】
連結部６３は、付加加工用ヘッド６１と、後述するロボットアーム３１の連結部３６との接点をなす連結機構として設けられている。連結部６３は、本体部６２に設けられている。付加加工用ヘッド６１（本体部６２）は、連結部６３によってロボットアーム３１に着脱可能に設けられている。
【００５６】
本体部６２は、Ｌ字に折れ曲がった形状を有する。本体部６２には、レーザ光出射部６５および接続部６４が設けられている。レーザ光出射部６５および接続部６４は、それぞれ、Ｌ字形状の本体部６２の一方端および他方端に設けられている。本体部６２には、コリメーションレンズや反射鏡等が内蔵されており、接続部６４からレーザ光出射部６５に向けてレーザ光が導かれる。レーザ光出射部６５には、開口部６６が形成されており、その開口部６６を通じてレーザ光が出射され、材料粉末が吐出される。レーザ光出射部６５には、光学部品６８が内蔵されている。光学部品６８は、レーザ光をワーク上に集光するための部品（集光レンズやミラー等）であり、ワークにおけるレーザ光の照射領域を定めている。開口部６６は、光学部品６８からワークに向かうレーザ光が通過可能な開口形状を有する。
【００５７】
図１中に示すように、加工機械１００は、材料粉末供給装置７０と、レーザ発振装置７６と、管部材７３とをさらに有する。材料粉末供給装置７０およびレーザ発振装置７６は、外部エリア２０５に配置されている。材料粉末供給装置７０は、付加加工に用いられる材料粉末を貯留する材料粉末タンク７２と、材料粉末とキャリアガスとを混合する混合部７１とを有する。レーザ発振装置７６は、付加加工に用いられるレーザ光を発振する。管部材７３には、レーザ発振装置７６からのレーザ光を付加加工用ヘッド６１に向けて導くための光ファイバと、材料粉末供給装置７０より供給された材料粉末を付加加工用ヘッド６１に向けて導くための配管とが収容されている。
【００５８】
管部材７３は、材料粉末供給装置７０およびレーザ発振装置７６から付加加工用ヘッド６１まで配索されており、その先端で付加加工用ヘッド６１の接続部６４に接続されている。材料粉末供給装置７０およびレーザ発振装置７６からの材料粉末およびレーザ光は、管部材７３を通じて付加加工用ヘッド６１に導入される。なお、図示されていないが、エア供給源からロボットアーム３１に向けてエア供給用のチューブが配索されている。
【００５９】
なお、加工機械１００によって実行される付加加工は、上述の指向性エネルギ堆積法に限られず、たとえば、ワークに溶融した熱可塑性樹脂を積層して３次元形状を作成する材料押出法や、粉末床の表面付近を熱により選択的に溶融・固化して積層する粉末床溶融結合法であってもよい。
【００６０】
図３は、図１中の加工機械が備えるロボットアームを示す斜視図である。図１から図３を参照して、ロボットアーム３１の構造について具体的に説明すると、ロボットアーム３１は、移動機構部２１と、基部３２と、アーム部３３と、連結部３６とを有する。
【００６１】
移動機構部２１は、加工エリア２００および外部エリア２０５の間で移動可能に設けられている。移動機構部２１は、ロボットアーム３１を、加工エリア内位置３１Ａと、加工エリア外位置３１Ｂとの間で移動させる。ロボットアーム３１は、開状態とされたシャッタ１４３を通じて、加工エリア内位置３１Ａおよび加工エリア外位置３１Ｂの間を移動する。
【００６２】
移動機構部２１は、ロボットアーム３１を直線往復移動させるための機構として、ベース部材２３、リニアガイド２２、ラックピニオン２５、サーボモータ（不図示）および支柱２４を有する。
【００６３】
ベース部材２３は、プレート材からなり、基部３２およびサーボモータが取り付けられている。リニアガイド２２およびラックピニオン２５は、支柱２４によって、加工機械１００の据え付け面から一定の高さに設けられている。リニアガイド２２は、ベース部材２３をＺ軸に平行な方向に案内する案内機構として設けられている。ラックピニオン２５は、サーボモータから出力された回転を直線運動に変換して、ベース部材２３をＺ軸方向に移動させる。
【００６４】
基部３２は、移動機構部２１により支持されている。基部３２は、移動機構部２１から鉛直下方向に突出する形状を有する。アーム部３３は、基部３２に対して、回動軸２１１を中心に回動可能に連結されている。図３中において、回動軸２１１は、Ｙ軸に平行な方向に延びる。連結部３６は、アーム部３３の先端に設けられている。
【００６５】
アーム部３３は、基部３２から連結部３６に向けてアーム状に延出する形状を有する。アーム部３３の一方端および他方端には、それぞれ、基部３２および連結部３６が設けられている。アーム部３３は、回動軸２１１に直交する平面内でアーム状に延出する形状を有する。アーム部３３は、図３中の矢印２２１に示すように、回動軸２１１を支点にして揺動する。アーム部３３の揺動に伴って、連結部３６の位置が回動軸２１１に直交する平面内で移動する。
【００６６】
連結部３６は、ロボットアーム３１と、前述のワーク把持部５１の連結部５４および付加加工用ヘッド６１の連結部６３との接点をなす連結機構として設けられている。
【００６７】
アーム部３３は、第１可動部３３Ｌ、第２可動部３３Ｍおよび第３可動部３３Ｎから構成されている。
【００６８】
第１可動部３３Ｌは、基部３２に対して、回動軸２１１（第１回動軸）を中心に回動可能に連結されている。第１可動部３３Ｌは、基部３２から、回動軸２１１に直交する方向にアーム状に延出する形状を有する。第１可動部３３Ｌは、図３中の矢印２２１に示すように、回動軸２１１を支点にして揺動する。
【００６９】
第２可動部３３Ｍは、第１可動部３３Ｌに対して、回動軸２１２（第２回動軸）を中心に回動可能に連結されている。回動軸２１２は、回動軸２１１に平行な方向に延びる。第２可動部３３Ｍは、基部３２からアーム状に延出する第１可動部３３Ｌの先端に連結されている。第２可動部３３Ｍは、第１可動部３３Ｌから、回動軸２１２に直交する方向にアーム状に延出する。第２可動部３３Ｍは、図３中の矢印２２２に示すように、回動軸２１２を支点にして揺動する。
【００７０】
第３可動部３３Ｎは、第２可動部３３Ｍに対して、回動軸２１３（第３回動軸）を中心に回動可能に連結されている。回動軸２１３は、回動軸２１１および回動軸２１２に平行な方向に延びる。第３可動部３３Ｎは、第１可動部３３Ｌからアーム状に延出する第２可動部３３Ｍの先端に連結されている。第３可動部３３Ｎは、第２可動部３３Ｍから、回動軸２１３に直交する方向にアーム状に延出する。第３可動部３３Ｎは、図３中の矢印２２３に示すように、回動軸２１３を支点にして揺動する。
【００７１】
基部３２は、図３中の矢印２２４に示すように、回転軸２１４（第１回転軸）を中心に回転可能に設けられている。回転軸２１４は、回動軸２１１に直交する方向に延びる。回転軸２１４は、鉛直方向に延びる。
【００７２】
第２可動部３３Ｍは、回転軸２１５（第２回転軸）の軸線方向に沿ってアーム状に延びている。第２可動部３３Ｍは、図３中の矢印２２５に示すように、回転軸２１５を中心に回転可能に設けられている。回転軸２１５は、回動軸２１２に直交する方向に延びる。第３可動部３３Ｎは、回転軸２１６（第３回転軸）の軸線方向に沿ってアーム状に延びている。第３可動部３３Ｎは、図３中の矢印２２６に示すように、回転軸２１６を中心に回転可能に設けられている。回転軸２１６は、回動軸２１３に直交する方向に延びる。
【００７３】
このような構成により、ロボットアーム３１は、６軸（回動軸２１１〜２１３および回転軸２１４〜２１６）を互いに独立して制御可能なロボットアームとして設けられている。
【００７４】
なお、本実施の形態では、６軸制御可能なロボットアーム３１について説明したが、６軸以外の多軸制御可能なロボットアームであってもよい。また、本実施の形態では、ロボットアーム３１が直動機構（移動機構部２１）を備えるが、このような直動機構を備えないロボットアームであってもよいし、複数軸（代表的には、３軸）の直動機構のみから構成されるロボットアームであってもよい。
【００７５】
図１および図２を参照して、本実施の形態では、加工エリア２００および外部エリア２０５の間におけるワークの搬送時に、ワーク把持部５１がロボットアーム３１に装着される。たとえば、ストッカ部１５６に格納されたワーク４１を外部エリア２０５から加工エリア２００に搬送し、第１主軸台１１１に装着する場合を想定する。
【００７６】
まず、ロボットアーム３１を動作させることによって、ストッカ部１５６に格納されたワーク把持部５１をロボットアーム３１に装着する。ロボットアーム３１を動作させることによって、ストッカ部１５６に格納されたワーク４１を、ワーク把持部５１により把持する。
【００７７】
次に、ロボットアーム３１を外部エリア２０５から加工エリア２００に移動させることにより、ワーク４１を加工エリア２００に進入させる。ロボットアーム３１を動作させることによって、把持したワーク４１を第１主軸台１１１の主軸１１２に接近させる。ワーク４１が主軸１１２に対して所定位置に位置決めされたら、ワーク４１を主軸１１２にチャッキングする。ワーク４１がチャッキングされたタイミングで、ワーク把持部５１によるワーク４１の把持を解除する。最後に、ロボットアーム３１を加工エリア２００から外部エリア２０５に退避させる。
【００７８】
また、本実施の形態では、ワークの付加加工時に、付加加工用ヘッド６１がロボットアーム３１に装着される。たとえば、第１主軸台１１１に装着されたワーク４１に対して付加加工を実施する場合を想定する。
【００７９】
図４は、図１中の加工機械において、付加加工時の加工エリア内の様子を示す斜視図である。図１、図２および図４を参照して、まず、ロボットアーム３１を動作させることによって、ストッカ部１５６に格納された付加加工用ヘッド６１をロボットアーム３１に装着する。
【００８０】
次に、ロボットアーム３１を外部エリア２０５から加工エリア２００に移動させることにより、付加加工用ヘッド６１を加工エリア２００に進入させる。ロボットアーム３１を動作させることによって、付加加工用ヘッド６１を第１主軸台１１１に装着されたワーク４１に接近させる。
【００８１】
図５は、図４中の２点鎖線Ｖで囲まれた範囲を拡大して示す断面図である。図４および図５を参照して、ロボットアーム３１の動作および／または主軸１１２の回転によって、開口部６６の開口面をワーク４１の表面に対面させたまま、付加加工用ヘッド６１をワーク４１に対して走査する。このとき、付加加工用ヘッド６１の開口部６６からワーク４１に向けて、レーザ光３１１と、材料粉末３１２と、シールドおよびキャリア用のガス３１３とが吐出される。これにより、ワーク４１の表面に溶融点３１４が形成され、その結果、材料粉末３１２が溶着する。
【００８２】
具体的には、ワーク４１の表面に肉盛層３１６が形成される。肉盛層３１６上には、肉盛素材３１５が盛られる。肉盛素材３１５が冷却されると、ワーク４１の表面に加工可能な層が形成された状態となる。なお、レーザ光３１１に替えて、電子ビームが用いられてもよい。材料粉末としては、アルミニウム合金およびマグネシウム合金等の金属粉末や、セラミック粉末を利用することができる。
【００８３】
付加加工の終了後、ロボットアーム３１を加工エリア２００から外部エリア２０５に退避させる。
【００８４】
本実施の形態では、旋削機能とミーリング機能とを有する複合加工機をベースにＡＭ／ＳＭハイブリッド加工機を構成した場合について説明したが、このような構成に限られず、旋削機能を有する旋盤またはミーリング機能を有するマシニングセンタをベースにＡＭ／ＳＭハイブリッド加工機を構成してもよい。マシニングセンタをベースにＡＭ／ＳＭハイブリッド加工機を構成する場合、加工エリア内でワークを保持するワーク保持部として、テーブルが用いられる。
【００８５】
続いて、加工機械１００を用いて実施する本実施の形態におけるワークの加工方法について説明する。
【００８６】
図６は、付加加工および除去加工に伴って変化するワークの形態を示す図である。図６を参照して、まず、母材４２を準備する。母材４２は、円盤形状を有する。次に、付加加工により、母材４２の端面上に肉盛部４３が形成された中間加工物４６を得る。肉盛部４３は、円柱形状を有する。次に、除去加工により、肉盛部４３の外周面にネジ部４４を形成する。最後に、母材４２および肉盛部４３の間を分離することにより、ネジ部４４が形成された最終製品４７を得る。
【００８７】
図７から図１５は、この発明の実施の形態１におけるワークの加工方法の工程を模式的に表す図である。
【００８８】
図７を参照して、加工エリア２００において、第１主軸台１１１には、母材４２が装着されている。外部エリア２０５において、ストッカ部１５６には、先の工程で準備された中間加工物４６Ａと、ワーク把持部５１と、付加加工用ヘッド６１とが格納されている。本実施の形態では、ワーク把持部５１が、同時に２つのワークを把持可能なダブルアームタイプであり、一対の把持用爪部５２Ｐおよび一対の把持用爪部５２Ｑを有する。
【００８９】
まず、ロボットアーム３１を動作させることによって、ストッカ部１５６に格納された付加加工用ヘッド６１をロボットアーム３１に装着する。
【００９０】
図８を参照して、次に、ロボットアーム３１を外部エリア２０５から加工エリア２００に移動させる。ロボットアーム３１を動作させることによって、付加加工用ヘッド６１を第１主軸台１１１に装着された母材４２に接近させる。付加加工用ヘッド６１によって、母材４２の端面上に肉盛部４３を形成する。これにより、中間加工物４６Ｂを得る。
【００９１】
図９を参照して、次に、ロボットアーム３１を加工エリア２００から外部エリア２０５に移動させる。ロボットアーム３１を動作させることによって、付加加工用ヘッド６１をストッカ部１５６に格納し、替わりに、ストッカ部１５６に格納されたワーク把持部５１をロボットアーム３１に装着する。
【００９２】
図１０を参照して、次に、ロボットアーム３１を動作させることによって、ワーク把持部５１の把持用爪部５２Ｐにより中間加工物４６Ａを把持する。
【００９３】
図１１を参照して、次に、ロボットアーム３１を外部エリア２０５から加工エリア２００に移動させる。ロボットアーム３１を動作させることによって、ワーク把持部５１を第１主軸台１１１に装着された中間加工物４６Ｂに接近させつつ、ワーク把持部５１の把持用爪部５２Ｑにより中間加工物４６Ｂを把持する。把持用爪部５２Ｐおよび把持用爪部５２Ｑを反転させることにより、第１主軸台１１１に装着されるワークを、中間加工物４６Ｂから中間加工物４６Ａに入れ替える。
【００９４】
図１２を参照して、次に、ロボットアーム３１を加工エリア２００から外部エリア２０５に移動させる。ロボットアーム３１を動作させることによって、中間加工物４６Ｂをストッカ部１５６に格納する。図８において説明した付加加工により高温となった中間加工物４６Ｂは、図１１において説明した次回のワーク交換工程までストッカ部１５６において冷却される。ロボットアーム３１をシャッタ１４３手前の位置（図１３中に示す位置）に待機させておく。
【００９５】
一方、加工エリア２００においては、ロボットアーム３１が外部エリア２０５に退避し、シャッタ１４３が閉じられたら、中間加工物４６Ａの肉盛部４３にネジ部４４を形成するための除去加工を開始する。本実施の形態では、ロボットアーム３１に付加加工用ヘッド６１を装着してワークの付加加工を行なう。このため、予め除去加工用の工具を装着した状態で下刃物台１３１または工具主軸１２１を待機させておくことが可能であり、付加加工から除去加工に移行する時間を短縮することができる。
【００９６】
図１３を参照して、主軸１１２および主軸１１７の回転を同期させながら、第１主軸台１１１および第２主軸台１１６を接近させる。主軸１１７により、中間加工物４６Ａの肉盛部４３の端部をチャッキングする。中間加工物４６Ａの両端が第１主軸台１１１および第２主軸台１１６により保持された状態で、母材４２および肉盛部４３の間を分離するための除去加工（突っ切り加工）を行なう。これにより、第１主軸台１１１に母材４２が残り、第２主軸台１１６に最終製品４７が残る。
【００９７】
除去加工時、加工エリア２００は、切削油の雰囲気下に置かれる。本実施の形態では、除去加工の間、付加加工用ヘッド６１が外部エリア２０５にあるため、光学部品を備えた付加加工用ヘッド６１が切削油に晒されることを防止できる。また、万が一、付加加工用ヘッド６１を装着したロボットアーム３１の制御に支障が生じることがあっても、その影響が加工エリア２００内に及ぶことを防止できる。
【００９８】
図１４を参照して、次に、ロボットアーム３１を外部エリア２０５から加工エリア２００に移動させる。ロボットアーム３１を動作させることによって、ワーク把持部５１を第２主軸台１１６に装着された最終製品４７に接近させつつ、ワーク把持部５１により最終製品４７を把持する。
【００９９】
図１５を参照して、次に、ロボットアーム３１を加工エリア２００から外部エリア２０５に移動させる。ロボットアーム３１を動作させることによって、最終製品４７をストッカ部１５６に格納する。ロボットアーム３１を動作させることにより、ワーク把持部５１をストッカ部１５６に格納することで、図７において説明した工程に戻る。
【０１００】
図１６は、この発明の実施の形態１におけるワークの加工方法の工程の流れを示す図である。図１６を参照して、上記のワークの加工方法により、複数のワーク（中間加工物４６Ａ、中間加工物４６Ｂ、中間加工物４６Ｃ、中間加工物４６Ｄ…）を順に付加加工および除去加工により加工する工程の流れについて説明する。
【０１０１】
まず、工程ａにて、加工エリア２００において、付加加工により中間加工物４６Ａを成形する。
【０１０２】
次に、工程ｂにて、外部エリア２０５において、中間加工物４６Ａを待機させた状態で、加工エリア２００において、付加加工により中間加工物４６Ｂを成形する（図８中の工程）。先の付加加工により高温となった中間加工物４６Ａは、外部エリア２０５において冷却される。
【０１０３】
次に、工程ｃにて、外部エリア２０５において、中間加工物４６Ｂを待機させた状態で、加工エリア２００において、中間加工物４６Ａを除去加工する（図１２および図１３中の工程）。次に、工程ｄにて、外部エリア２０５において、中間加工物４６Ｂを待機させた状態で、加工エリア２００において、付加加工により中間加工物４６Ｃを成形する。先の付加加工により高温となった中間加工物４６Ｂは、外部エリア２０５において冷却される。
【０１０４】
次に、工程ｅにて、外部エリア２０５において、中間加工物４６Ｃを待機させた状態で、加工エリア２００において、中間加工物４６Ｂを除去加工する。次に、工程ｂに対応する工程に戻り、外部エリア２０５において、中間加工物４６Ｃを待機させた状態で、加工エリア２００において、中間加工物４６Ｄを除去加工する。以降、工程ｃ、工程ｄ、工程ｅおよび工程ｂを繰り返すことによって、付加加工および除去加工によるワークの連続的な加工を行なう。
【０１０５】
このように構成された、この発明の実施の形態１におけるワークの加工方法によれば、付加加工により高温となったワークを待機させて冷却する工程と、ワークを除去加工する工程またはワークを付加加工する工程とが並行して進行する。このため、付加加工および除去加工を用いて複数のワークを連続的に加工する際の生産性を向上させることができる。
【０１０６】
特に本実施の形態では、付加加工時、材料粉末を噴出すると同時に、噴出された材料粉末にエネルギ照射することにより材料粉末を溶融して、ワーク成形する（指向性エネルギ堆積法）。この指向性エネルギ堆積法では、薄い材料粉末層を形成する工程と、エネルギ照射により材料粉末層の選択的な領域を溶融する工程とを順に繰り返す粉末床溶融結合法と比較して、付加加工が行なわれたワークの徐熱に長時間を要する傾向がある。このため、付加加工が行なわれたワークを待機させて冷却する工程と、ワークを除去加工する工程およびワークを付加加工する工程とを並行させて、ワーク加工の生産性を向上させる本実施の形態におけるワークの加工方法がより好適に適用される。
【０１０７】
（実施の形態２）
図１７から図２４は、この発明の実施の形態２におけるワークの加工方法の工程を模式的に表す図である。
【０１０８】
図１７から図２４を参照して、本実施の形態におけるワークの加工方法に用いられる加工機械は、第１主軸台（主軸台）１１１と、下刃物台１３１と、工具主軸１２１と、ロボットアーム３１と、付加加工用ヘッド６１とを有する。本実施の形態では、工具主軸１２１に、付加加工時に用いられる付加加工用ヘッド６１と、除去加工時に用いられる工具９１とが選択的に装着される。下刃物台１３１には、ワークを保持可能なワークホルダ９２が取り付けられている。
【０１０９】
図１７を参照して、加工エリア２００において、第１主軸台１１１には、母材４２Ａが装着されている。下刃物台１３１のワークホルダ９２には、母材４２Ｂが装着されている。まず、付加加工用ヘッド６１を工具主軸１２１に装着する。
【０１１０】
図１８を参照して、次に、工具主軸１２１を第１主軸台１１１に装着された母材４２Ａに接近させる。付加加工用ヘッド６１によって付加加工を行ない、中間加工物４６Ａを得る。
【０１１１】
図１９を参照して、次に、ロボットアーム３１を動作させることによって、把持用爪部５２Ｐにより中間加工物４６Ａを把持し、把持用爪部５２Ｑにより母材４２Ｂを把持する。把持用爪部５２Ｐおよび把持用爪部５２Ｑを反転させることにより、第１主軸台１１１に母材４２Ｂを装着し、下刃物台１３１のワークホルダ９２に中間加工物４６Ａを装着する。
【０１１２】
図２０を参照して、次に、工具主軸１２１を第１主軸台１１１に装着された母材４２Ｂに接近させる。付加加工用ヘッド６１によって付加加工を行ない、中間加工物４６Ｂを得る。この間、下刃物台１３１のワークホルダ９２に装着された中間加工物４６Ａが冷却される。なお、付加加工によって得られる中間加工物４６Ａおよび中間加工物４６Ｂの形状は、同じであってもよいし、異なってもよい。
【０１１３】
図２１を参照して、次に、ロボットアーム３１を動作させることによって、把持用爪部５２Ｐにより中間加工物４６Ｂを把持し、把持用爪部５２Ｑにより中間加工物４６Ａを把持する。把持用爪部５２Ｐおよび把持用爪部５２Ｑを反転させることにより、第１主軸台１１１に中間加工物４６Ａを装着し、下刃物台１３１のワークホルダ９２に中間加工物４６Ｂを装着する。付加加工用ヘッド６１に替えて工具９１を工具主軸１２１に装着する。
【０１１４】
図２２を参照して、次に、工具主軸１２１を第１主軸台１１１に装着された中間加工物４６Ａに接近させる。工具９１によって除去加工を行ない、最終製品４７Ａを得る。この間、下刃物台１３１のワークホルダ９２に装着された中間加工物４６Ｂが冷却される。
【０１１５】
図２３を参照して、次に、ロボットアーム３１を動作させることによって、把持用爪部５２Ｐにより最終製品４７Ａを把持し、把持用爪部５２Ｑにより中間加工物４６Ｂを把持する。把持用爪部５２Ｐおよび把持用爪部５２Ｑを反転させることにより、第１主軸台１１１に中間加工物４６Ｂを装着し、下刃物台１３１のワークホルダ９２に最終製品４７Ａを装着する。
【０１１６】
図２４を参照して、次に、工具主軸１２１を第１主軸台１１１に装着された中間加工物４６Ｂに接近させる。工具９１によって除去加工を行ない、最終製品４７Ｂを得る。下刃物台１３１および工具主軸１２１から、それぞれ、最終製品４７Ａおよび最終製品４７Ｂを回収する。なお、付加加工によって得られる最終製品４７Ａおよび最終製品４７Ｂの形状は、同じであってもよいし、異なってもよい。
【０１１７】
本実施の形態におけるワークの加工方法では、２個のワークを１セットにして、母材４２から最終製品４７の形状を得るまでの付加加工および除去加工を完了させる。この際、中間加工物４６を下刃物台１３１のワークホルダ９２に装着した状態で、中間加工物４６の冷却工程を行なう。
【０１１８】
このように構成された、この発明の実施の形態２におけるワークの加工方法によれば、実施の形態１に記載の効果を同様に奏することができる。
【０１１９】
（実施の形態３）
図２５から図３４は、この発明の実施の形態３におけるワークの加工方法の工程を模式的に表す図である。
【０１２０】
図２５から図３４を参照して、本実施の形態におけるワークの加工方法に用いられる加工機械は、第１主軸台（主軸台）１１１と、下刃物台１３１と、工具主軸１２１と、ロボットアーム３１と、付加加工用ヘッド６１とを有する。本実施の形態では、工具主軸１２１に、付加加工時に用いられる付加加工用ヘッド６１と、除去加工時に用いられる工具９１とが選択的に装着される。下刃物台１３１の互いに異なる割り出し位置には、ワークを保持可能なワークホルダ９２Ｒおよびワークホルダ９２Ｓが取り付けられている。
【０１２１】
図２５を参照して、加工エリア２００において、下刃物台１３１のワークホルダ９２Ｒには、母材４２Ａが装着されている。下刃物台１３１のワークホルダ９２Ｓには、母材４２Ｂが装着されている。外部エリア２０５において、ロボットアーム３１の把持用爪部５２Ｐにより母材４２Ｃが把持されている。まず、付加加工用ヘッド６１を工具主軸１２１に装着する。
【０１２２】
図２６を参照して、次に、工具主軸１２１を下刃物台１３１のワークホルダ９２Ｒに装着された母材４２Ａに接近させる。付加加工用ヘッド６１によって付加加工を行ない、中間加工物４６Ａを得る。
【０１２３】
図２７を参照して、次に、旋回部１３２を旋回させることにより、ワークホルダ９２Ｒに替えてワークホルダ９２Ｓを加工位置に割り出す。工具主軸１２１を下刃物台１３１のワークホルダ９２Ｓに装着された母材４２Ｂに接近させる。付加加工用ヘッド６１によって付加加工を行ない、中間加工物４６Ｂを得る。この間、下刃物台１３１のワークホルダ９２Ｒに装着された中間加工物４６Ａが冷却される。
【０１２４】
図２８を参照して、次に、ロボットアーム３１を動作させることによって、把持用爪部５２Ｑにより中間加工物４６Ａを把持する。把持用爪部５２Ｐおよび把持用爪部５２Ｑを反転させることにより、下刃物台１３１のワークホルダ９２Ｒに母材４２Ｃを装着する。図２９を参照して、次に、ロボットアーム３１を動作させることによって、第１主軸台１１１に中間加工物４６Ａを装着する。付加加工用ヘッド６１に替えて工具９１を工具主軸１２１に装着する。
【０１２５】
図３０を参照して、次に、工具主軸１２１を第１主軸台１１１に装着された中間加工物４６Ａに接近させる。工具９１によって除去加工を行ない、最終製品４７Ａを得る。この間、下刃物台１３１のワークホルダ９２Ｓに装着された中間加工物４６Ｂが冷却される。外部エリア２０５において、ロボットアーム３１の把持用爪部５２Ｐにより母材４２Ｄを把持する。
【０１２６】
図３１を参照して、次に、ロボットアーム３１を動作させることによって、把持用爪部５２Ｑにより中間加工物４６Ｂを把持する。把持用爪部５２Ｐおよび把持用爪部５２Ｑを反転させることにより、下刃物台１３１のワークホルダ９２Ｓに母材４２Ｄを装着する。図３２を参照して、次に、ロボットアーム３１を動作させることによって、把持用爪部５２Ｐにより最終製品４７Ａを把持する。把持用爪部５２Ｐおよび把持用爪部５２Ｑを反転させることにより、第１主軸台１１１に中間加工物４６Ｂを装着する。把持用爪部５２Ｐに把持された最終製品４７Ａを外部エリア２０５に回収する。
【０１２７】
図３３を参照して、次に、工具主軸１２１を第１主軸台１１１に装着された中間加工物４６Ｂに接近させる。工具９１によって除去加工を行ない、最終製品４７Ｂを得る。図３４を参照して、ロボットアーム３１を動作させることによって、把持用爪部５２Ｐにより最終製品４７Ｂを得る。把持用爪部５２Ｐに把持された最終製品４７Ｂを外部エリア２０５に回収する。
【０１２８】
本実施の形態におけるワークの加工方法においては、母材４２を下刃物台１３１のワークホルダ９２に装着した状態で、ワークの付加加工を行なう。また、最終製品４７Ｂを得るための除去加工が完了するまでに、次の加工が施される母材４２を、下刃物台１３１のワークホルダ９２に装着する。これにより、複数のワークの連続的な加工が可能となり、生産性を向上させることができる。
【０１２９】
このように構成された、この発明の実施の形態３におけるワークの加工方法によれば、実施の形態１に記載の効果を同様に奏することができる。
【０１３０】
（実施の形態４）
図３５から図４３は、この発明の実施の形態４におけるワークの加工方法の工程を模式的に表す図である。
【０１３１】
図３５から図４３を参照して、本実施の形態におけるワークの加工方法に用いられる加工機械は、第１主軸台（主軸台）１１１と、工具主軸１２１と、ロボットアーム３１と、付加加工用ヘッド６１とを有する。本実施の形態では、工具主軸１２１に、付加加工時に用いられる付加加工用ヘッド６１と、除去加工時に用いられる工具９１とが選択的に装着される。
【０１３２】
図３５を参照して、加工エリア２００において、第１主軸台１１１には、母材４２Ａが装着されている。外部エリア２０５において、ロボットアーム３１の把持用爪部５２Ｑにより母材４２Ｂが把持されている。まず、付加加工用ヘッド６１を工具主軸１２１に装着する。
【０１３３】
図３６を参照して、次に、工具主軸１２１を第１主軸台１１１に装着された母材４２Ａに接近させる。付加加工用ヘッド６１によって付加加工を行ない、中間加工物４６Ａを得る。
【０１３４】
図３７を参照して、次に、ロボットアーム３１を動作させることによって、把持用爪部５２Ｐにより中間加工物４６Ａを把持する。把持用爪部５２Ｐおよび把持用爪部５２Ｑを反転させることにより、把持用爪部５２Ｑに把持された母材４２Ｂを第１主軸台１１１に装着する。ロボットアーム３１を外部エリア２０５に退出させる。
【０１３５】
図３８を参照して、次に、工具主軸１２１を第１主軸台１１１に装着された母材４２Ｂに接近させる。付加加工用ヘッド６１によって付加加工を行ない、中間加工物４６Ｂを得る。この間、ロボットアーム３１の把持用爪部５２Ｐに把持された中間加工物４６Ａが冷却される。
【０１３６】
図３９を参照して、次に、ロボットアーム３１を動作させることによって、把持用爪部５２Ｑにより中間加工物４６Ｂを把持する。把持用爪部５２Ｐおよび把持用爪部５２Ｑを反転させることにより、把持用爪部５２Ｐに把持された中間加工物４６Ａを第１主軸台１１１に装着する。ロボットアーム３１を外部エリア２０５に退出させる。付加加工用ヘッド６１に替えて工具９１を工具主軸１２１に装着する。
【０１３７】
図４０を参照して、次に、工具主軸１２１を第１主軸台１１１に装着された中間加工物４６Ａに接近させる。工具９１によって除去加工を行ない、最終製品４７Ａを得る。この間、ロボットアーム３１の把持用爪部５２Ｑに把持された中間加工物４６Ｂが冷却される。
【０１３８】
図４１を参照して、次に、ロボットアーム３１を動作させることによって、把持用爪部５２Ｐにより最終製品４７Ａを把持する。把持用爪部５２Ｐおよび把持用爪部５２Ｑを反転させることにより、把持用爪部５２Ｑに把持された中間加工物４６Ｂを第１主軸台１１１に装着する。把持用爪部５２Ｐに把持された最終製品４７Ａを外部エリア２０５に回収する。
【０１３９】
図４２を参照して、次に、工具主軸１２１を第１主軸台１１１に装着された中間加工物４６Ｂに接近させる。工具９１によって除去加工を行ない、最終製品４７Ｂを得る。図４３を参照して、次に、ロボットアーム３１を動作させることによって、把持用爪部５２Ｐにより最終製品４７Ｂを把持する。把持用爪部５２Ｐに把持された最終製品４７Ｂを外部エリア２０５に回収する。
【０１４０】
本実施の形態におけるワークの加工方法においては、中間加工物４６をロボットアーム３１の把持用爪部５２に把持した状態で、中間加工物４６の冷却工程を行なう。
【０１４１】
このように構成された、この発明の実施の形態４におけるワークの加工方法によれば、実施の形態１に記載の効果を同様に奏することができる。
【０１４２】
（実施の形態５）
図４４から図４８は、この発明の実施の形態５におけるワークの加工方法の工程を模式的に表す図である。
【０１４３】
図４４から図４８を参照して、本実施の形態におけるワークの加工方法に用いられる加工機械は、第１主軸台１１１と、工具主軸１２１と、第２主軸台１１６と、付加加工用ヘッド６１とを有する。本実施の形態では、工具主軸１２１に、付加加工時に用いられる付加加工用ヘッド６１と、除去加工時に用いられる工具９１とが選択的に装着される。
【０１４４】
図４４を参照して、加工エリア２００において、第１主軸台１１１には、母材４２Ａが装着されている。第２主軸台１１６には、母材４２Ｂが装着されている。まず、付加加工用ヘッド６１を工具主軸１２１に装着する。
【０１４５】
図４５を参照して、次に、工具主軸１２１を第１主軸台１１１に装着された母材４２Ａに接近させる。付加加工用ヘッド６１によって付加加工を行ない、中間加工物４６Ａを得る。
【０１４６】
図４６を参照して、次に、工具主軸１２１を第２主軸台１１６に装着された母材４２Ｂに接近させる。付加加工用ヘッド６１によって付加加工を行ない、中間加工物４６Ｂを得る。この間、第１主軸台１１１に装着された中間加工物４６Ａが冷却される。付加加工用ヘッド６１に替えて工具９１を工具主軸１２１に装着する。
【０１４７】
図４７を参照して、次に、工具主軸１２１を第１主軸台１１１に装着された中間加工物４６Ａに接近させる。工具９１によって除去加工を行ない、最終製品４７Ａを得る。この間、第２主軸台１１６に装着された中間加工物４６Ｂが冷却される。
【０１４８】
図４８を参照して、次に、工具主軸１２１を第２主軸台１１６に装着された中間加工物４６Ｂに接近させる。工具９１によって除去加工を行ない、最終製品４７Ｂを得る。第１主軸台１１１および第２主軸台１１６から、それぞれ、最終製品４７Ａおよび最終製品４７Ｂを回収する。
【０１４９】
本実施の形態におけるワークの加工方法においては、母材４２から最終製品４７の形状を得るまでの付加加工および除去加工の間、第１主軸台１１１および第２主軸台１１６に同じワークを装着し続ける。これにより、ワーク搬送の時間が不要となるため、生産性を向上させることができる。
【０１５０】
このように構成された、この発明の実施の形態５におけるワークの加工方法によれば、実施の形態１に記載の効果を同様に奏することができる。
【０１５１】
なお、以上に説明した実施の形態では、全てのワークの加工に付加加工および除去加工を用いる場合について説明したが、これに限られず、たとえば、付加加工および除去加工を用いるワーク（ワークＡという）の加工と、除去加工のみ用いるワーク（ワークＢという）の加工とが混在する加工工程であってもよい。この場合、付加加工が行なわれたワークＡを待機させた状態で、ワークＢを除去加工することにより、複数のワークを連続的に加工する際の生産性を向上させることができる。
【０１５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１５３】
この発明は、主に、付加加工および除去加工を用いたワークの加工方法に適用される。
【符号の説明】
【０１５４】
２１  移動機構部、２２  リニアガイド、２３  ベース部材、２４  支柱、２５  ラックピニオン、３１  ロボットアーム、３１Ａ  加工エリア内位置、３１Ｂ  加工エリア外位置、３２  基部、３３  アーム部、３３Ｌ  第１可動部、３３Ｍ  第２可動部、３３Ｎ  第３可動部、３６，５４，６３  連結部、４１  ワーク、４２，４２Ａ，４２Ｂ，４２Ｃ，４２Ｄ  母材、４３  肉盛部、４４  ネジ部、４６，４６Ａ，４６Ｂ，４６Ｃ，４６Ｄ  中間加工物、４７，４７Ａ，４７Ｂ  最終製品、５１  ワーク把持部、５２，５２Ｐ，５２Ｑ  把持用爪部、５３  ベース部、６１  付加加工用ヘッド、６２  本体部、６４  接続部、６５  レーザ光出射部、６６  開口部、６８  光学部品、７０  材料粉末供給装置、７１  混合部、７２  材料粉末タンク、７３  管部材、７６  レーザ発振装置、９１  工具、９２，９２Ｒ，９２Ｓ  ワークホルダ、１００  加工機械、１１１  第１主軸台、１１２，１１７  主軸、１１６  第２主軸台、１２１  工具主軸、１３１  下刃物台、１３２  旋回部、１４１  ベッド、１４２  側面カバー、１４３  シャッタ、１５６  ストッカ部、２００  加工エリア、２０１，２０２，２０３，２０４  中心軸、２０５  外部エリア、２１１，２１２，２１３  回動軸、２１４，２１５，２１６  回転軸、３１１  レーザ光、３１２  材料粉末、３１３  ガス、３１４  溶融点、３１５  肉盛素材、３１６  肉盛層。
【要約】
【課題】生産性の向上が図られるワークの加工方法、を提供する。
【解決手段】ワークの加工方法は、単一の加工エリア内で、第１ワーク（４６Ａ）および第２ワーク（４６Ｂ）を含む複数のワークを連続的に加工する方法である。ワークの加工方法は、加工エリア内において第２ワーク（４６Ｂ）を付加加工する工程と、付加加工が行なわれた第２ワーク（４６Ｂ）を待機させた状態で、加工エリア内において第１ワーク（４６Ａ）を除去加工する工程とを備える。
【選択図】図１６【図１】
0005937248.tif 000002
【図２】
0005937248.tif 000003
【図３】
0005937248.tif 000004
【図４】
0005937248.tif 000005
【図５】
0005937248.tif 000006
【図６】
0005937248.tif 000007
【図７】
0005937248.tif 000008
【図８】
0005937248.tif 000009
【図９】
0005937248.tif 000010
【図１０】
0005937248.tif 000011
【図１１】
0005937248.tif 000012
【図１２】
0005937248.tif 000013
【図１３】
0005937248.tif 000014
【図１４】
0005937248.tif 000015
【図１５】
0005937248.tif 000016
【図１６】
0005937248.tif 000017
【図１７】
0005937248.tif 000018
【図１８】
0005937248.tif 000019
【図１９】
0005937248.tif 000020
【図２０】
0005937248.tif 000021
【図２１】
0005937248.tif 000022
【図２２】
0005937248.tif 000023
【図２３】
0005937248.tif 000024
【図２４】
0005937248.tif 000025
【図２５】
0005937248.tif 000026
【図２６】
0005937248.tif 000027
【図２７】
0005937248.tif 000028
【図２８】
0005937248.tif 000029
【図２９】
0005937248.tif 000030
【図３０】
0005937248.tif 000031
【図３１】
0005937248.tif 000032
【図３２】
0005937248.tif 000033
【図３３】
0005937248.tif 000034
【図３４】
0005937248.tif 000035
【図３５】
0005937248.tif 000036
【図３６】
0005937248.tif 000037
【図３７】
0005937248.tif 000038
【図３８】
0005937248.tif 000039
【図３９】
0005937248.tif 000040
【図４０】
0005937248.tif 000041
【図４１】
0005937248.tif 000042
【図４２】
0005937248.tif 000043
【図４３】
0005937248.tif 000044
【図４４】
0005937248.tif 000045
【図４５】
0005937248.tif 000046
【図４６】
0005937248.tif 000047
【図４７】
0005937248.tif 000048
【図４８】
0005937248.tif 000049